(57)【要約】      （修正有）【課題】外箱の側壁に開口部等を設けないようにして、外部から塵芥等の異物が侵入することがなく、また、ケーキ等の収容物の数量や形状に応じて、保冷体等収容部の固定位置や固定数量を変更して、ケーキ等の収容物を適切に保冷することのできる包装用箱を提供する。【解決手段】側壁の内側にフラップ３５を備えた外箱と、保冷体等を収容して、外箱の内部に配置される保冷体等収容部１４と、フラップ３５と、保冷体等収容部１４とを固定する固定手段と、を備える。保冷体等収容部１４はフラップ３５に固定されるため、外箱の側壁に固定用の切欠部や開口部を設ける必要がなく、外部からの塵芥等の異物の侵入を防止することができる。【選択図】図６
0003147686.tif 000002
【実用新案登録請求の範囲】
【請求項１】
側壁の内側にフラップを備えた外箱と、
保冷体等を収容して、前記外箱の内部に配置される保冷体等収容部と、
前記フラップと、前記保冷体等収容部とを固定する固定手段と、
を備えたことを特徴とする包装用箱。
【請求項２】
前記固定手段は、前記保冷体等収容部を、前記フラップの複数の部位に固定可能であることを特徴とする請求項１に記載の包装用箱。
【請求項３】
前記固定手段は、前記保冷体等収容部の複数の部位を、前記フラップに固定可能であることを特徴とする請求項１又は２のいずれか１項に記載の包装用箱。
【請求項４】
前記外箱の内部に、複数の前記保冷体等収容部を配置可能であることを特徴とする請求項１から３のいずれか１項に記載の包装用箱。
【請求項５】
前記外箱は、異なる形状の前記保冷体等収容部を配置可能であることを特徴とする請求項１から４のいずれか１項に記載の包装用箱。
【請求項６】
前記固定手段は、前記フラップ又は前記保冷体等収容部のいずれか一方に形成した差込部と、
前記フラップ又は前記保冷体等収容部のいずれか他方に形成した被差込部と、
から構成されることを特徴とする請求項１から５のいずれか１項に記載の包装用箱。
【請求項７】
前記差込部、及び、又は、前記被差込部は複数形成されていることを特徴とする請求項６に記載の包装用箱。
【請求項８】
前記保冷体等収容部は、脚部を備えることを特徴とする請求項１から７のいずれか１項に記載の包装用箱。
【請求項９】
前記保冷体等収容部は、把持部を備えることを特徴とする請求項１から８のいずれか１項に記載の包装用箱。
【考案の詳細な説明】
【技術分野】
【０００１】
本考案は、包装用箱に関し、より詳細には、低温度に保つ必要のあるケーキ等の保冷食品を収容する包装用箱に関する。
【背景技術】
【０００２】
従来、低温下で持ち運びする必要のあるケーキ等、生菓子類を収容する包装用箱にあっては、アイスパック（水や保冷剤をビニールシート等で密封包装したパック状のものを凍らせたもの）やドライアイス等の保冷体を生菓子類と一緒に収容することが行われている。また、保冷体やロウソク等の物品（以下、「保冷体等」という）を収容するための保冷体等収容部を別途形成して外箱に収容する包装用箱も知られている（例えば、特許文献１参照。）。
【特許文献１】実開昭５４−２３０２６号公報
【考案の開示】
【考案が解決しようとする課題】
【０００３】
しかしながら、上記特許文献１の包装用箱では、保冷体等収容部を外箱の側壁に固定するため、側壁に係止口が開いており、外部からこの係止口を通じて塵芥等の異物が包装用箱の内部に侵入するおそれがあるという問題があった。また、保冷体が側壁に接近して配置されることから、外箱の側壁が低温となり、側壁の外面に結露するという問題があった。更に、ケーキ等の収容物の数量や形状に応じて、保冷体等収容部の固定位置を変更することができないという問題もあった。
【０００４】
本考案は前記課題に鑑みてなされたものであって、第１に、外箱の側壁に開口部等を設けないようにして、外部から塵芥等の異物が侵入することのない包装用箱の提供を目的とする。また、第２に、保冷体による側壁の外面の結露を防止した包装用箱を提供することを目的とする。また、第３に、ケーキ等の収容物の数量や形状に応じて、保冷体等収容部の固定位置や固定数量を変更して、ケーキ等の収容物を適切に保冷することのできる包装用箱の提供を目的とする。
【課題を解決するための手段】
【０００５】
本考案の解決しようとする課題は以上の如くであり、次にこの課題を解決するための手段を説明する。
【０００６】
即ち、第１の考案では、側壁の内側にフラップを備えた外箱と、
保冷体等を収容して、前記外箱の内部に配置される保冷体等収容部と、
前記フラップと、前記保冷体等収容部とを固定する固定手段と、
を備えたことを特徴とする包装用箱とした。
【０００７】
第２の考案では、第１の考案において、
前記固定手段は、前記保冷体等収容部を、前記フラップの複数の部位に固定可能であることを特徴とする包装用箱とした。
【０００８】
第３の考案では、第１又は第２のいずれかの考案において、
前記固定手段は、前記保冷体等収容部の複数の部位を、前記フラップに固定可能であることを特徴とする包装用箱とした。
【０００９】
第４の考案では、第１から第３のいずれかの考案において、
前記外箱の内部に、複数の前記保冷体等収容部を配置可能であることを特徴とする包装用箱とした。
【００１０】
第５の考案では、第１から第４のいずれかの考案において、
前記外箱は、異なる形状の前記保冷体等収容部を配置可能であることを特徴とする包装用箱とした。
【００１１】
第６の考案では、第１から第５のいずれかの考案において、
前記固定手段は、前記フラップ又は前記保冷体等収容部のいずれか一方に形成した差込部と、
前記フラップ又は前記保冷体等収容部のいずれか他方に形成した被差込部と、
から構成されることを特徴とする包装用箱とした。
【００１２】
第７の考案では、第６の考案において、
前記差込部、及び、又は、前記被差込部は複数形成されていることを特徴とする包装用箱とした。
【００１３】
第８の考案では、第１から第７のいずれかの考案において、
前記保冷体等収容部は、脚部を備えることを特徴とする包装用箱とした。
【００１４】
第９の考案では、第１から第８のいずれかの考案において、
前記保冷体等収容部は、把持部を備えることを特徴とする包装用箱とした。
【考案の効果】
【００１５】
本考案の効果として、以下に示すような効果を奏する。
【００１６】
第１の考案によれば、保冷体等収容部はフラップに固定されるため、外箱の側壁に固定用の切欠部や開口部を設ける必要がなく、外部からの塵芥等の異物の侵入を防止することができる。また、外箱の側壁と保冷体等収容部との間にフラップが配置されることから、外箱の側壁が低温になりにくく、側壁の外面の結露を防止することができる。
【００１７】
第２の考案によれば、保冷体等収容部を、フラップの複数の部位に固定可能としたため、フラップに対する保冷体等収容部の固定位置を複数の中から選択することができる。このため、ケーキ等の収容物の数量や形状に応じて、保冷体等収容部の固定位置を変更して、ケーキ等の収容物を適切に保冷することができる。
【００１８】
第３の考案によれば、保冷体等収容部の複数の部位を、フラップに固定可能であるため、フラップに対して保冷体等収容部を固定する姿勢を変更することができる。このため、ケーキ等の収容物の数量や形状に応じて、保冷体等収容部を固定する姿勢を変更させて、ケーキ等の収容物を適切に保冷することができる。
【００１９】
第４の考案によれば、外箱の内部に複数の保冷体等収容部を配置可能であるため、保冷体等収容部の数量を選択することができる。このため、ケーキ等の収容物の数量や形状、あるいは持ち運びに要する時間等に応じて、保冷体等収容部の数量を変更することができ、ケーキ等の収容物を適切に保冷することができる。
【００２０】
第５の考案によれば、外箱は、異なる形状の保冷体等収容部を配置可能である。このため、異なる形状の保冷体等収容部を複数準備しておき、ケーキ等の収容物の数量や形状に応じて、適切な形状の保冷体等収容部を選択して外箱の内部に配置することができ、ケーキ等の収容物を適切に保冷することができる。
【００２１】
第６の考案によれば、固定手段は差込部と被差込部とから構成され、被差込部に差込部を差し込むことでフラップと保冷体等収容部とを固定することができる。このため、固定手段を容易に形成でき、包装用箱を安価に提供できるとともに、フラップと保冷体等収容部との固定が容易である。また、異種素材を用いないため廃棄時に分別して廃棄する必要がない。
【００２２】
第７の考案によれば、差込部、及び、又は、被差込部は複数形成されている。このため、差込部と被差込部の組み合わせを選択することで、ケーキ等の収容物の数量や形状に応じて、保冷体等収容部の固定位置、固定姿勢、固定数量を適切に変更することができ、ケーキ等の収容物を適切に保冷することができる。
【００２３】
第８の考案によれば、保冷体等収容部は脚部を備えているため、保冷体等収容部と外箱の底板との間に空間が形成される。このため、外箱の底板が低温になりにくく、側壁の底板の結露を防止することができる。
【００２４】
第９の考案によれば、保冷体等収容部は把持部を備えているため、保冷体等収容部を外箱の内部に配置する際に、保冷体等収容部を把持しやすい。このため、外箱の内部にケーキ等の収容物を収容した後でも、保冷体等収容部を容易に配置することができる。
【考案を実施するための最良の形態】
【００２５】
次に、考案の実施の形態について図を用いて説明する。
【実施例１】
【００２６】
本考案の実施例１に係る包装用箱１１について、図１から図７を用いて説明する。
【００２７】
実施例１に係る包装用箱１１は、図１に示す外箱展開形成体１３を組み立てて形成した外箱１２と、図３に示す保冷体等収容部展開形成体１５を組み立てて形成した保冷体等収容部１４とから構成されるものであり、ケーキや和菓子等を収容し、持ち帰り等に用いる包装用箱１１である。包装用箱１１を構成する外箱１２と保冷体等収容部１４は、板紙、段ボール等の厚紙で形成されている。厚紙の他、樹脂素材を用いた板状部材等で形成してもよい。包装用箱１１を構成する外箱１２は折り畳まれた半完成状態、包装用箱１１を構成する保冷体等収容部１４は展開形成体の状態でケーキ店等に納品され、ケーキや和菓子等を収容する前に最終の組み立てが行われ、外箱１２の内部に保冷体等収容部１４が配置されて完成状態の包装用箱１１とされる。以下では、説明の容易のため、外箱１２の天板２５が開閉する方向を前後方向とする。また、上下方向は、外箱１２を組み立てて、底板２１を下にして載置した状態で、底板２１側を下方とする。保冷体等収容部１４の上下方向は、脚部７１が形成される側を下側とし、開口部が形成される側を上側として説明する。
【００２８】
まず、図１に示す外箱展開形成体１３に従って、外箱１２を構成する部分を説明する。図１は、外箱１２の内側となる面を紙面手前側として示している。まず底板２１は、外箱１２の底部を構成する部分である。底板２１の図示下側の端部には、前側の側壁を構成する前側壁２２が前側壁折目線４１を介して連設されている。前側壁２２には、上フラップ３１が上フラップ折目線４５を介して連設されている。上フラップ折目線４５上には、閉止用切目５３が形成されている。
【００２９】
底板２１の図示左側の端部には、左右の側壁を構成する左右側壁２４が左右側壁折目線４４を介して連設されている。左右側壁２４の図示左側の端部には、左右フラップ３２が左右フラップ折目線４６を介して連設されている。左右側壁２４の図示下側の端部には、左右の側壁を連結するための前フラップ３３が前フラップ折目線４７を介して連設されている。前フラップ３３の自由端部付近には、連結用切目５１が開放端を図示左向きとして形成されている。左右側壁２４から左右フラップ３２にかけては、左右側壁２４の図示右上角部（後端部）を略２等分する側壁折畳用折目線４８が形成されている。
【００３０】
底板２１の図示右側の端部には、図示左側と略対称となるように、左右側壁２４、左右フラップ３２、前フラップ３３、及び、側壁折畳用折目線４８が形成されている。但し、図示右側の前フラップ３３に形成される連結用切目５１は、図示左側の前フラップ３３の連結用切目５１と連結できるように、開放端を図示左向きとして形成されている。
【００３１】
底板２１の図示上側の端部には、後側の側壁を構成する後側壁２３が後側壁折目線４２を介して連設されている。後側壁２３の図示左側の端部には、後側壁２３と左右側壁２４を連結する固定フラップ３４が固定フラップ折目線４９を介して連設されている。固定フラップ３４は、左右側壁２４の後端部付近に接着等の固着手段を用いて固定される。
【００３２】
後側壁２３の図示右側の端部には、保冷体等収容部１４を固定するフラップとしての支持フラップ３５が支持フラップ折目線５０を介して連設されている。支持フラップ３５の自由端部には、保冷体等収容部１４を固定するための固定手段を構成する、被差込部としての切欠部３６が形成されており、切欠部３６から所定距離だけ隔てた位置には、被差込部としての差込口３７が形成されている。また、支持フラップ３５は、後側壁２３と左右側壁２４を連結するものでもあり、支持フラップ３５は、左右側壁２４の後端部付近に接着等の固着手段を用いて固定される。
【００３３】
後側壁２３の図示上側の端部には、蓋部を構成する天板２５が天板折目線４３を介して連設されている。天板２５の図示上部の端部には、閉止片２６が閉止片折目線５２を介して連設されている。
【００３４】
次に図１、図２を用いて、外箱１２を半完成状態まで組み立てる場合について説明する。まず、図１の外箱展開形成体１３の状態で、底板２１の両側の左右側壁折目線４４を谷折して、左右側壁２４が底板２１に重なるように折り返し、続いて側壁折畳用折目線４８を山折して、左右側壁２４の後側上部に形成される略三角形状部分を二つに折り重ねるようにする。次に、後側壁２３の両側の、固定フラップ折目線４９と、支持フラップ折目線５０とを谷折し、固定フラップ３４と支持フラップ３５とがそれぞれ後側壁２３に重なるように折り返す。この状態で、底板２１と後側壁２３の間の後側壁折目線４２を谷折して後側壁２３を底板２１に重ねるように折り返す。固定フラップ３４は、左右側壁２４の略三角形状部分と重なった部分に接着等の固着手段を用いて固定し、支持フラップ３５も、左右側壁２４の略三角形状部分と重なった部分に接着等の固着手段を用いて固定する。この状態が図２に示す外箱１２の半完成状態である。
【００３５】
次に、図３に示す保冷体等収容部展開形成体１５に従って、保冷体等収容部１４を構成する部分を説明する。図３は、保冷体等収容部１４の内側となる面を紙面手前側として示している。まず第１側壁６１には、外箱１２に固定するための固定手段を構成する、差込部としての差込片６９が形成される。この差込片６９は、保冷体等収容部１４を上下に立てて載置した状態で、横向きになるように形成されている。また、第１側壁６１の図示下側の端部には、脚部７１が形成されており、第１側壁６１の図示左側の端部には、側部フラップ折目線８２を介して側部フラップ６５が連設されている。側部フラップ折目線８２上には、接続用切目７４が形成されている。そして、第１側壁６１の図示右側の端部には、第２側壁折目線８１を介して第２側壁６２が連設されている。
【００３６】
第２側壁６２には、固定手段を構成する、差込部としての差込片６９が形成されている。この差込片６９は、保冷体等収容部１４を上下に立てて載置した状態で、下向きになるように形成されている。第２側壁６２の図示下側の端部には、左右底フラップ折目線８３を介して左右底フラップ６６が連設されている。第２側壁６２の図示右側の端部には、第３側壁折目線８４を介して第３側壁６３が連設されている。
【００３７】
第３側壁６３には、保冷体からの冷気を通過させる通気孔７２が穿設されている。第３側壁６３の図示下側の端部には、脚部７１が形成されているとともに、底部折目線８５を介して底部６７が連設されている。底部６７の図示下側の端部には、底部フラップ折目線８６を介して底部フラップ６８が連設されている。第３側壁６３の図示右側の端部には、第４側壁折目線８７を介して第４側壁６４が連設されている。
【００３８】
第４側壁６４には、保冷体からの冷気を通過させる通気孔７２が穿設されている。第４側壁６４の図示下側の端部には、左右底フラップ折目線８３を介して左右底フラップ６６が連設されている。また、第４側壁６４の図示右側の端部には、接続片折目線８８を介して接続片７３が連設されている。
【００３９】
次に、半完成状態の外箱１２を組み立てるとともに、保冷体等収容部１４を組み立て、さらに外箱１２と保冷体等収容部１４を組み合わせて包装用箱１１を完成させる手順について説明する。
【００４０】
まず、保冷体等収容部１４の組み立てについて説明する。図４に示すように、側部フラップ折目線８２、第２側壁折目線８１、第３側壁折目線８４、第４側壁折目線８７、接続片折目線８８を山折し、接続片７３を接続用切目７４に差し込んで第１側壁６１、第２側壁６２、第３側壁６３、第４側壁６４、及び、側部フラップ６５で断面略長方形状の筒状体を形成する。そして、左右底フラップ折目線８３を山折して左右底フラップ６６を筒状体の下部に折返す。更に、底部折目線８５、底部フラップ折目線８６を山折して、底部６７を左右底フラップ６６の下部に重ねるとともに、底部フラップ６８を左右底フラップ６６と第１側壁６１との間隙に差し込む。これにより、下部が底部６７で閉塞され、上部が開放された保冷体等収容部１４が組み立てられる。
【００４１】
次に、外箱１２の組み立てについて説明する。図５に示すように、半分に折畳まれていた半完成状態から、底板２１に対して後側壁２３を起立させ、略三角形状に折畳まれていた左右側壁２４を展開させながら、底板２１に対して左右側壁２４を起立させる。次に、前フラップ折目線４７を谷折して左右の前フラップ３３を前側で交差させ、端部に形成した連結用切目５１を互いに差し込むことで左右の前フラップ３３を連結する。左右フラップ折目線４６は谷折として、左右フラップ３２を外箱１２の上部の開口部に折り曲げる。天板折目線４３、閉止片折目線５２は谷折とすることで、外箱１２の上部の開口部を天板２５で閉塞可能な状態としておき、前側壁折目線４１、上フラップ折目線４５も谷折とすることで、外箱１２の前部を前側壁２２で閉塞可能な状態としておく。
【００４２】
この状態で、外箱１２の内部に保冷体等収容部１４を配置する。図６に示すように、保冷体等収容部１４の第２側壁６２に形成した下向きの差込片６９を、支持フラップ３５の切欠部３６に上から下に差し込むことで、保冷体等収容部１４は外箱１２の内部に固定される。この状態では、保冷体等収容部１４は左右フラップ３２に沿うように配置されるため、外箱１２の左右方向に大きくスペースを確保することができる。
【００４３】
あるいは、図７に示すように、保冷体等収容部１４の第１側壁６１に横向きに形成した差込片６９を、支持フラップ３５の差込口３７に差し込むことで、保冷体等収容部１４を外箱１２の内部に固定してもよい。この状態では、保冷体等収容部１４は支持フラップ３５に沿うように配置されるため、外箱１２の前後方向に大きくスペースを確保することができる。
【００４４】
そして、外箱１２は、前側壁２２を底板２１に対して起立させ、天板２５を外箱１２の開口部に被せるようにするとともに、閉止片２６を閉止用切目５３に差し込むことで、外箱１２は開口部が天板２５部で閉塞された状態となる。
【００４５】
以上説明した実施例１に係る包装用箱１１によれば、保冷体等収容部１４は支持フラップ３５に固定されるため、外箱１２の左右側壁２４に固定用の切欠部３６や開口部を設ける必要がなく、外部からの塵芥等の異物の侵入を防止することができる。また、外箱１２の左右側壁２４と保冷体等収容部１４との間に支持フラップ３５が配置されることから、外箱１２の左右側壁２４が低温になりにくく、左右側壁２４の外面の結露を防止することができる。
【００４６】
支持フラップ３５は、被差込部として切欠部３６と差込口３７を設けており、保冷体等収容部１４を、支持フラップ３５の複数の部位に固定可能としたため、支持フラップ３５に対する保冷体等収容部１４の固定位置を複数の中から選択することができる。このため、ケーキ等の収容物の数量や形状に応じて、保冷体等収容部１４の固定位置を変更して、ケーキ等の収容物を適切に保冷することができる。
【００４７】
保冷体等収容部１４は差込片６９を複数有しており、保冷体等収容部１４の複数の部位を、フラップに固定可能であるため、フラップに対して保冷体等収容部１４を固定する姿勢を変更することができる。このため、ケーキ等の収容物の数量や形状に応じて、保冷体等収容部１４を固定する姿勢を変更して、ケーキ等の収容物を適切に保冷することができる。
【００４８】
支持フラップ３５の切欠部３６と差込口３７に同時に保冷体等収容部１４を固定することができ、外箱１２の内部に複数の保冷体等収容部１４を配置可能であるため、保冷体等収容部１４の数量を選択することができる。このため、ケーキ等の収容物の数量や形状、あるいは持ち運びに要する時間等に応じて、保冷体等収容部１４の数量を変更することができ、ケーキ等の収容物を適切に保冷することができる。
【００４９】
固定手段は、差込部としての差込片６９と、被差込部としての切欠部３６及び差込口３７から構成され、切欠部３６又は差込口３７に差込片６９を差し込むことで支持フラップ３５と保冷体等収容部１４とを固定することができる。このため、固定手段を容易に形成でき、包装用箱１１を安価に提供できるとともに、支持フラップ３５と保冷体等収容部１４との固定が容易である。また、異種素材を用いないため廃棄時に分別して廃棄する必要がない。
【００５０】
差込部としての差込片６９、及び、被差込部としての切欠部３６及び差込口３７は複数形成されている。このため、差込片６９を差し込む切欠部３６及び差込口３７の組み合わせを選択することで、ケーキ等の収容物の数量や形状に応じて、保冷体等収容部１４の固定位置、固定姿勢、固定数量を適切に変更することができ、ケーキ等の収容物を適切に保冷することができる。
【００５１】
保冷体等収容部１４は脚部７１を備えているため、保冷体等収容部１４と外箱１２の底板２１との間に空間が形成される。このため、外箱１２の底板２１が低温になりにくく、側壁の底板２１の結露を防止することができる。
【実施例２】
【００５２】
次に、本考案の実施例２に係る包装用箱１１について図８から図１０を用いて説明する。実施例２では、保冷体等収容部１４の形状が実施例１と大きく異なっている。実施例１と同一部分の詳しい説明は省略する。
【００５３】
図８に示す保冷体等収容部展開形成体１５に従って、保冷体等収容部１４を構成する部分を説明する。図８は、保冷体等収容部１４の内側となる面を紙面手前側として示している。まず第１側壁６１の図示下側には、外箱１２に固定するための固定手段を構成する、差込部としての差込片６９が形成されている。この差込片６９は、保冷体等収容部１４を上下に立てて載置した状態で、下向きになるように形成されている。また、第１側壁６１には、脚部７１が形成されており、脚部７１の中央よりやや下には、支持用開口部９１が形成されている。また、第１側壁６１の図示左側の端部には、接続片折目線８８を介して接続片７３が連設されている。そして、第１側壁６１の図示右側の端部には、第２側壁折目線８１を介して第２側壁６２が連設されている。
【００５４】
第２側壁６２には、保冷体からの冷気を通過させる通気孔７２が穿設されている。図示上側の端部には把持部９２が形成される。第２側壁６２の図示下側の端部には、底部折目線８５を介して略三角形状の底部６７が連設されている。底部６７の図示右下側の端部、及び、図示左下側の端部には、底部支持片９３が形成されているとともに、底部フラップ折目線８６を介して底部フラップ６８が連設されている。第２側壁６２の図示右側の端部には、第３側壁折目線８４を介して第３側壁６３が連設されている。
【００５５】
第３側壁６３には、外箱１２に固定するための固定手段を構成する、差込部としての差込片６９が図示下側に形成されている。この差込片６９は、保冷体等収容部１４を上下に立てて載置した状態で、下向きになるように形成されている。また、図示上側には、差込片６９が形成されている。この差込片６９は、保冷体等収容部１４を上下に立てて載置した状態で、横向きになるように形成されている。また、第３側壁６３には、脚部７１が形成されており、脚部７１の中央よりやや下には、支持用開口部９１が形成されている。第１側壁６１の図示右側の端部には、側部フラップ折目線８２を介して側部フラップ６５が連設されている。側部フラップ折目線８２上には、接続用切目７４が形成されている。
【００５６】
次に、保冷体等収容部１４を組立て、さらに外箱１２と保冷体等収容部１４を組み合わせて包装用箱１１を完成させる手順について説明する。保冷体等収容部１４の組み立ては、図９に示すように、接続片折目線８８、第２側壁折目線８１、第３側壁折目線８４、側部フラップ折目線８２を谷折し、接続片７３を接続用切目７４に差し込んで第１側壁６１、第２側壁６２、第３側壁６３、及び、側部フラップ６５で断面略三角形状の筒状体を形成する。そして、底部折目線８５を谷折して底部６７を筒状体の下部に折返す。更に、底部フラップ折目線８６を谷折して、底部フラップ６８を底部６７と第１側壁６１、及び、底部６７と第３側壁６３の間隙に差し込む。更に、底部支持片９３を支持用開口部９１に差し込む。これにより、上部が開放され、下部が底部６７で閉塞された保冷体等収容部１４が組み立てられる。
【００５７】
この状態で、外箱１２の内部に保冷体等収容部１４を配置する。図１０に示すように、保冷体等収容部１４の第３側壁６３の上側に形成した差込片６９を、支持フラップ３５の切欠部３６に差し込むことで、保冷体等収容部１４は外箱１２の内部に固定される。この状態では、保冷体等収容部１４は外箱１２のコーナー部に沿うように配置されるため、外箱１２の内部のスペースを大きく確保することができる。また、同じ差込片６９を支持フラップ３５の差込口３７に差し込んで固定することもできる。更に、第１側壁６１又は第３側壁６３に形成した下向きの差込片６９を、支持フラップ３５の差込口３７に横向きに差し込むことで、保冷体等収容部１４を横向きに配置することもできる。
【００５８】
以上説明した実施例２に係る包装用箱１１によれば、外箱１２は、断面長方形状の保冷体等収容部１４だけでなく、断面三角形状の保冷体等収容部１４を配置することができ、異なる形状の保冷体等収容部１４を配置可能である。このため、異なる形状の保冷体等収容部１４を複数準備しておき、ケーキ等の収容物の数量や形状に応じて、適切な形状の保冷体等収容部１４を選択して外箱１２の内部に配置することができ、ケーキ等の収容物を適切に保冷することができる。
【００５９】
保冷体等収容部１４は把持部９２を備えているため、保冷体等収容部１４を外箱１２の内部に配置する際に、保冷体等収容部１４を把持しやすい。このため、外箱１２の内部にケーキ等の収容物を収容した後でも、保冷体等収容部１４を容易に配置することができる。
【００６０】
尚、実施の形態は上記に限定されるものではなく、例えば次のように変更してもよい。
【００６１】
被差込部としての切欠部３６や差込口３７の形状、位置と、保冷体等収容部１４に形成される差込部としての差込片６９の形状、位置は、実施例の形状、位置に限定されず、フラップに保冷体等収容部１４が固定され得る位置に形成すればよい。
【００６２】
被差込部として切欠部３６、及び、差込口３７を形成したが、被差込部は、差込部が差し込まれてフラップと保冷体等収容部１４とが固定できればよく、被差込部として切目等を形成するようにしてもよい。
【００６３】
被差込部を支持フラップ３５に形成したが、これに限定されず、前フラップ３３に形成するようにしてもよい。また、外箱１２は、支持フラップ３５を後側壁２３の片側に形成したが、両側に形成してもよい。フラップを設ける位置、枚数は本実施例の形態に限定されない。
【００６４】
以上説明した本考案の技術的範囲は、上記の実施例に限定されるものではなく、上記実施例の形状に限定されない。本考案の技術的範囲は、本明細書及び図面に記載した事項から明らかになる本考案が真に意図する技術的思想の範囲全体に、広く及ぶものである。
【図面の簡単な説明】
【００６５】
【図１】実施例１に係る包装用箱１１の外箱展開形成体１３の平面図。
【図２】実施例１に係る包装用箱１１の外箱１２の半完成状態の平面図。
【図３】実施例１に係る包装用箱１１の保冷体等収容部展開形成体１５の平面図。
【図４】実施例１に係る包装用箱１１の保冷体等収容部１４の完成体を示す斜視簡略図。
【図５】実施例１に係る包装用箱１１の外箱１２の組み立て状態を示す斜視簡略図。
【図６】実施例１に係る包装用箱１１の外箱１２に保冷体等収容部１４を配置した状態を示す斜視簡略図。
【図７】保冷体等収容部１４の配置位置を変更した状態を示す斜視簡略図。
【図８】実施例２に係る包装用箱１１の保冷体等収容部展開形成体１５の平面図。
【図９】実施例２に係る包装用箱１１の保冷体等収容部１４の完成体を示す斜視簡略図。
【図１０】実施例２に係る包装用箱１１の外箱１２に保冷体等収容部１４を配置した状態を示す斜視簡略図。
【符号の説明】
【００６６】
１１    包装用箱
１２    外箱
１３    外箱展開形成体
１４    保冷体等収容部
１５    保冷体等収容部展開形成体
２１    底板
２２    前側壁
２３    後側壁
２４    左右側壁
２５    天板
２６    閉止片
３１    上フラップ
３２    左右フラップ
３３    前フラップ
３４    固定フラップ
３５    支持フラップ
３６    被差込部としての切欠部
３７    被差込部としての差込口
４１    前側壁折目線
４２    後側壁折目線
４３    天板折目線
４４    左右側壁折目線
４５    上フラップ折目線
４６    左右フラップ折目線
４７    前フラップ折目線
４８    側壁折畳用折目線
４９    固定フラップ折目線
５０    支持フラップ折目線
５１    連結用切目
５２    閉止片折目線
５３    閉止用切目
６１    第１側壁
６２    第２側壁
６３    第３側壁
６４    第４側壁
６５    側部フラップ
６６    左右底フラップ
６７    底部
６８    底部フラップ
６９    差込部としての差込片
７１    脚部
７２    通気孔
７３    接続片
７４    接続用切目
８１    第２側壁折目線
８２    側部フラップ折目線
８３    左右底フラップ折目線
８４    第３側壁折目線
８５    底部折目線
８６    底部フラップ折目線
８７    第４側壁折目線
８８    接続片折目線
９１    支持用開口部
９２    把持部
９３    底部支持片
【図１】
0003147686.tif 000003
【図２】
0003147686.tif 000004
【図３】
0003147686.tif 000005
【図４】
0003147686.tif 000006
【図５】
0003147686.tif 000007
【図６】
0003147686.tif 000008
【図７】
0003147686.tif 000009
【図８】
0003147686.tif 000010
【図９】
0003147686.tif 000011
【図１０】
0003147686.tif 000012